【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
マルチモード無線通信装置の位置を受信するための命令と、
少なくとも２つの動作ネットワークモードに関連する無線基地局マルチモーダルリスト情報を含むデータベースをアクセスするための命令と、前記マルチモーダルリストのエントリーは無線基地局の識別子、前記無線基地局の基地局フットプリント、前記無線基地局の位置及び無線基地局の通信モードにより構成される、
前記少なくとも２つの動作ネットワークモードに関連する前記無線基地局マルチモーダルリスト情報を含む前記データベースから選択した通信モードに関連する無線基地局マルチモーダルリスト情報を検索するための命令と、
装置機能データベースから前記マルチモード無線通信装置のためのサポートされたモードを決定するための命令と、
前記マルチモード無線通信装置の前記位置及び前記マルチモード無線通信装置の前記サポートされたモードを送信するための命令と、
を記録する、コンピュータ可読記録媒体。
【請求項２】
前記少なくとも２つのネットワークモードはＣＤＭＡモード及びＷｉＦｉモードを含む、請求項１のコンピュータ可読記録媒体。
【請求項３】
前記少なくとも２つの動作ネットワークモードはＧＳＭ（登録商標）モード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥースモード、８０２．ｘｘモード、ＵＷＢモード及び衛星モードからなるグループからの少なくとも２つのモードを含む、請求項１のコンピュータ可読記録媒体。
【請求項４】
前記データベースをアクセスすることは中央設置基地局データベースにアクセスすることを含む、請求項１のコンピュータ可読記録媒体。
【請求項５】
前記データベースをアクセスすることは、階層サービスエリヤ方式に従って体系化されたデータベースをアクセスすることを含む、請求項１のコンピュータ可読記録媒体。
【請求項６】
前記階層サービスエリヤ方式はＣＤＭＡスイッチに従って体系化されている、請求項７のコンピュータ可読記録媒体。
【請求項７】
前記階層サービスエリヤ方式はＧＳＭスイッチに従って体系化されている、請求項７のコンピュータ可読記録媒体。
【請求項８】
前記階層サービスエリヤ方式はＳＩＤ／ＮＩＤに従って体系化されている、請求項７のコンピュータ可読記録媒体。
【請求項９】
前記データベースは特定の基地局セクターの中の複数の既知ＷｉＦｉアクセスポイントを含む、請求項１のコンピュータ可読記録媒体。
【請求項１０】
前記データベースはブルートゥース、ＵＷＢ、ＺｉｇＢｅｅ(登録商標)及びＲＦＩＤを含むグループから選択される少なくとも１つの基地局タイプのための情報を含む、請求項１のコンピュータ可読記録媒体。
【請求項１１】
マルチモード無線装置の現在の通信ネットワークの外側のネットワークに関連する前記マルチモーダルリスト情報の要求を処理するための命令を更に記憶する、請求項１のコンピュータ可読記録媒体。
【請求項１２】
前記マルチモーダルリスト情報を検索することは、マルチモード無線装置の現在の通信ネットワークの外側のネットワークに関連する前記マルチモーダルリスト情報を検索することを含む、請求項１のコンピュータ可読記録媒体。
【請求項１３】
前記マルチモーダルリスト情報を検索することは、マルチモード無線装置の推定位置に従って前記マルチモーダルリスト情報を検索することを含む、請求項１のコンピュータ可読記録媒体。
【請求項１４】
マルチモード無線通信装置の位置を受信すること、
マルチモード無線通信装置を使用して、少なくとも２つの動作ネットワークモードに関連するマルチモーダルリスト情報を含むデータベースをアクセスすること、前記マルチモーダルリストのエントリーは無線基地局の識別子、前記無線基地局の基地局フットプリント、前記無線基地局の位置及び無線基地局の通信モードにより構成される、
前記少なくとも２つの動作ネットワークモードに関連する無線基地局マルチモーダルリスト情報を含むデータベースから、前記マルチモード無線通信装置に使用する選択された通信モードに関連するマルチモーダルリスト情報を検索すること、
装置機能データベースから前記マルチモード無線通信装置のための複数のサポートされたモードを決定すること、
前記マルチモード無線通信装置の前記位置及び前記マルチモード無線通信装置の前記サポートされたモードを送信すること、
を含む、方法。
【請求項１５】
前記少なくとも２つのネットワークモードはＧＳＭモード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥースモード、８０２．ｘｘモード、ＵＷＢモード及び衛星モードを含むグループからの少なくとも２つモードを含む、請求項１４の方法。
【請求項１６】
前記データベースをアクセスすることは
階層サービスエリヤ方式に従って体系化されたデータベースをアクセスすることを含む、請求項１４の方法。
【請求項１７】
前記階層サービスエリヤ方式はＣＤＭＡスイッチ、ＧＳＭスイッチ及びＳＩＤ／ＮＩＤの１つ以上に従って整理されている、請求項１６の方法。
【請求項１８】
前記データベースは、
特定の基地局セクターの中の複数の既知ＷｉＦｉアクセスポイント及びブルートゥース、ＵＷＢ、ＺｉｇＢｅｅ及びＲＦＩＤを含むグループから選択される少なくとも１つの基地局タイプのための情報の１つ以上を含む、請求項１４の方法。
【請求項１９】
前記データベースを検索することは、マルチモード無線装置の現在の通信ネットワークの外側のネットワークに関連する前記マルチモーダルリスト情報を検索することを含む、請求項１４の方法。
【請求項２０】
少なくとも２つの動作ネットワークモードに関連する情報を含むマルチモーダルリスト情報を含むデータベースをアクセスするように、及び
前記少なくとも２つの動作ネットワークモードに関連する無線基地局マルチモーダルリスト情報を含むデータベースから、前記マルチモード無線通信装置に使用する選択された通信モードに関連するマルチモーダルリスト情報を検索し、装置機能データベースからマルチモード無線通信装置のためのサポートモードを決定するように構成されるコンピュータ利用機器を具備し、
前記マルチモーダルリスト情報を含む前記データベースをアクセスするように構成される前記コンピュータ利用機器は
基地局フットプリント及び隣接基地局フットプリントを有する局所マルチモーダルリスト情報をアクセスすること及び
中央配置基地局データベースをアクセスすること、
の１つ以上を実行するように構成される、移動局装置。
【請求項２１】
前記少なくとも２つのネットワークモードはＧＳＭモード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥースモード、８０２．ｘｘモード、ＵＷＢモード及び衛星モードを含むグループから選択される少なくとも２つのモードを含む、請求項２０の装置。
【請求項２２】
前記マルチモーダルリスト情報を含む前記データベースをアクセスするように構成されるコンピュータ利用機器は
階層サービスエリヤ方式に従って整理されるデータベースをアクセスするように構成される、請求項２０の装置。
【請求項２３】
階層サービスエリヤ方式はＣＤＭＡスイッチ、ＧＳＭスイッチ及びＳＩＤ／ＮＩＤの１つ以上に従って体系化される、請求項２２の装置。
【請求項２４】
少なくとも２つの動作ネットワークモードに関連する情報を含むマルチモーダルリスト情報を含むデータベースをアクセスするための手段と、
前記少なくとも２つの動作ネットワークモードに関連する無線基地局マルチモーダルリスト情報を含むデータベースから、選択した通信モードに関連するマルチモーダルリスト情報を検索するための手段と、
装置機能データベースからマルチモード無線通信装置のためのサポートモードを決定する手段と、
を具備し、
前記アクセスするための手段は、
基地局フットプリント及び隣接基地局フットプリントを有する局所マルチモーダルリスト情報をアクセスする手段及び中央配置基地局データベースをアクセスする手段の１つ以上を含む、装置。
【請求項２５】
前記少なくとも２つのネットワークモードはＧＳＭモード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥースモード、８０２．ｘｘモード、ＵＷＢモード及び衛星モードを含むグループの少なくとも２つモードを含む、請求項２４の装置。
【請求項２６】
前記アクセスするための手段は
階層サービスエリヤ方式に従って体系化されたデータベースをアクセスする手段を含む、請求項２４の装置。
【請求項２７】
前記階層サービスエリヤ方式はＣＤＭＡスイッチ、ＧＳＭスイッチ及びＳＩＤ／ＮＩＤの１つ以上に従って体系化される、請求項２６の装置。